(57)【特許請求の範囲】
【請求項１】
ケースに、中枠及びこの中枠の内側に支持されたムーブメントが収容されている時計において、
前記ケースが、
円形の嵌合孔を形成する表側端部を有し、この表側端部の表面が縁受け面をなし前記表側端部の裏面が係合面をなした胴と、
前記嵌合孔を貫通する円筒部、この円筒部の前記胴外に突出された部位の外周に設けられていて前記縁受け面に重なるカバー部、前記円筒部の前記胴内に挿入された部位の外周に形成された雄ねじ部、及び前記円筒部に形成されて前記ムーブメントが有した文字板の周部を受ける受け部を有した縁部材と、
前記雄ねじ部に螺合して前記円筒部の外周に配設されるとともに、前記係合面に接して前記カバー部との間に前記表側端部を挟んで前記縁部材を前記胴に固定する取付けリングと、
を具備することを特徴とする時計。
【請求項２】
前記取付けリングの厚みが前記縁部材の前記円筒部の前記胴内に挿入された部位の前記係合面に対する突出長さに略等しく、前記取付けリングの内周全体に雌ねじ部が形成されているとともに、前記取付けリングの複数個所に前記中枠に向けて開放する操作溝が設けられていることを特徴とする請求項１に記載の時計。
【請求項３】
前記表側端部が前記カバー部より薄いことを特徴とする請求項２に記載の時計。
【請求項４】
前記取付けリングに対向されている前記中枠の取付けリング側端面が、平坦面であることを特徴とする請求項３に記載の時計。
【請求項５】
前記ムーブメントの本体部の径が前記円筒部の内径以下であり、前記中枠の取付けリング側端面が前記円筒部の前記胴内に挿入された部位の先端にも対向していることを特徴とする請求項４に記載の時計。
【請求項６】
前記ムーブメントの本体部が前記円筒部の内径及び前記文字板より大径であり、前記文字板の外周から食み出した前記本体部の文字板取付け面が、前記中枠の取付けリング側端面と略同じ高さ位置に配置されて前記円筒部の前記胴内に挿入された部位の先端及び前記取付けリングに対向していることを特徴とする請求項４に記載の時計。
【発明の詳細な説明】
【技術分野】
【０００１】
本発明は、例えば腕時計や懐中時計のような携帯時計、置き時計、壁掛け時計等の時計に関する。
【背景技術】
【０００２】
時計のムーブメントを支持した中枠を収容するケースは、ムーブメントの文字板を透視可能とするガラスを備え、このガラスを支持した縁部材は、取付け部材を用いてケースの胴に固定されている。
【０００３】
この固定のために、縁部材を、筒状部の一端部外周にカバー部を有し、筒状部の他端部内周に雌ねじ部を有した構成とし、取付け部材を、リングベースの内周部に回転操作用の溝を複数設けるとともに、前記内周部から雄ねじ部を直角に折れ曲がるように設けた構成とした腕時計が、従来知られている。（例えば、特許文献１参照。）。
【０００４】
この腕時計の縁部材は、その筒状部をケースの胴が有する表側端部が形成した嵌合孔に嵌合するとともに、カバー部を表側端部の表面からなる縁受け面に重ねて設けられている。又、取付け部材は、その雄ねじ部を縁部材の雌ねじ部に螺合させて設けられている。それにより、表側端部の裏面からなる係合面に接したリングベースと縁受け面に接したカバー部とで胴の表側端部を挟んで、縁部材が胴に固定されている。
【０００５】
なお、図４（Ｂ）は特許文献１に係る腕時計の一部を示している。この図中符号１はケース、符号２は胴、符号３は表側端部、符号３ａは縁受け面、符号３ｂは係合面、符号４は嵌合孔、符号５は縁部材、符号５ａは筒状部、符号５ｂはカバー部、符号５ｃは雌ねじ部、符号６は取付け部材、符号６ａはリングベース、符号６ｂは溝、符号６ｃは雄ねじ部、符号７はガラス、符号８は中枠、符号９はムーブメント、符号１０は文字板を夫々示している。又、符号５ｄは筒状部５ｃの内周側に形成されて文字板１０の周部を受ける受け部を示している。
【先行技術文献】
【特許文献】
【０００６】
【特許文献１】特開２００７−１７１１２７号公報
【発明の概要】
【発明が解決しようとする課題】
【０００７】
従来の腕時計は、縁部材５と取付け部材６との螺合部が、縁部材５が有した筒状部５ａの内周側に形成されている。それにより、筒状部５ａの径方向に沿う厚みＷ２は、雌ねじ部５ｃと雄ねじ部６ｃが噛み合わされた螺合部の寸法Ｂと、受け部５ｄに対する文字板１０の掛かり代Ｃと、文字板１０と雄ねじ部６ｃとの間の隙間Ｄを合計した寸法に相当している。筒状部５ａの厚みＷ２はそれ以上狭めることができないため、ガラス７を通して視認される筒状部５ａの内周面（見切り面）とカバー部５ｂの外周とで規定される縁部材５の幅Ｗ０は、厚みＷ２に起因して広がっている。
【０００８】
縁部材５の幅が広い時計はデザイン上も好まれない可能性が高い。更に、幅が広い縁部材５は腕時計の重量を増やす因子になるとともに、リングベース６ａと雄ねじ部６ｃとからなる構成の取付け部材６も時計重量を増やす因子になる。そのため、前記のように胴２に縁部材５を固定する従来の構成は、腕時計を軽くする上では不利である。
【０００９】
更に、従来の腕時計は、筒状部５ａの胴内側先端と中枠８との間に取付け部材６のリングベース６ａが配設されている。言い換えれば、筒状部５ａの軸方向にリングベース６ａが重なるように配設されている。このため、腕時計の厚みを優先した場合、図４（Ｂ）中符号８ｄで示す逃げ部を中枠８に設けて、この逃げ部８ｄにリングベース６ａを収める構成とする必要がある。これにより、取付け部材６に対する加工箇所が増えてコスト高となる。
【００１０】
本発明の目的は、ガラスを支持して胴に固定された縁部材の幅が狭い時計を提供することにある。
【課題を解決するための手段】
【００１１】
本発明に係る時計は、ケースに、中枠及びこの中枠の内側に支持されたムーブメントが収容されている時計において、前記ケースが、円形の嵌合孔を形成する表側端部を有し、この表側端部の表面が縁受け面をなし前記表側端部の裏面が係合面をなした胴と、前記嵌合孔を貫通する円筒部、この円筒部の前記胴外に突出された部位の外周に設けられていて前記縁受け面に重なるカバー部、前記円筒部の前記胴内に挿入された部位の外周に形成された雄ねじ部、及び前記円筒部に形成されて前記ムーブメントが有した文字板の周部を受ける受け部を有した縁部材と、前記雄ねじ部に螺合して前記円筒部の外周に配設されるとともに、前記係合面に接して前記カバー部との間に前記表側端部を挟んで前記縁部材を前記胴に固定する取付けリングと、を具備している。
【００１２】
本発明で、縁受け面は、嵌合孔の表側開口端から周囲に張り出すように連続して設けられていても、或いは前記表側開口端と縁受け面とが胴の厚み方向について異なる高さ位置に在るように前記表側開口端との間に段差を形成して設けられていてもよい。又、縁受け面とこれに接するカバー部の裏面は、胴の厚み方向に直交する方向に沿う平面に限らず、胴の厚み方向に斜めに交差する方向に沿う斜面、或いは胴の厚み方向に斜めに交差する方向に沿って湾曲する曲面で形成されていてもよい。
【００１３】
本発明で、胴の表側端部の厚みは、表側端部がその厚み方向に変形することがないように所定の機械的強度を保証できる範囲で可能な限り薄く形成することが、胴の軽量化とともに円筒部の長さが短くなるに伴って縁部材の軽量化を図る上でも、更には、縁部材の取付け安定性を担う円筒部と取付けリングとの螺合部を長く確保しつつ、取付けリングが中枠に干渉することがないようにする上で好ましい。しかし、本発明で、中枠に取付けリングとの干渉を防ぐ逃げ部を加工する場合、胴の表側端部を厚めに形成することが可能である。
【００１４】
更に、本発明で取付けリングを回転操作するための操作部は、例えば中枠に向けて突出する複数の突起であっても、中枠に向けて開放する複数の溝であっても差し支えない。本発明で、縁部材の受け部は、円筒部の内周面から一体に突設された環状凸部で形成することも可能であるが、円筒部の中枠側端部に、中枠側及び円筒部の内側に夫々開放して形成された溝（操作溝）によって形成することが、文字板の表示面積をより大きく確保する上で好ましい。
【００１５】
本発明では、縁部材と取付けリングとの螺合部が、縁部材が有した円筒部の外周に設けられている。これにより、取付けリングが円筒部の幅を増やす要素にならず、円筒部の幅を狭くできる。したがって、ガラスを支持して胴に固定された縁部材の幅が狭い時計を提供できる。
【００１６】
本発明の好ましい形態では、前記取付けリングの厚みが前記縁部材の前記円筒部の前記胴内に挿入された部位の前記係合面に対する突出長さに略等しく、前記取付けリングの内周全体に雌ねじ部が形成されているとともに、前記取付けリングの複数個所に前記中枠に向けて開放する操作溝が設けられていることを特徴としている。
この好ましい形態では、縁部材に対する取付けリングの厚みと取付けリングの内周面全体に雌ねじ部を形成したことによって、取付けリングの厚みを最小化しつつ胴の表側端部に縁部材を確実に固定する上で必要なねじ山を確保できる。これに加えて、取付けリングを回転操作するために用いる操作部が操作溝であるので、操作部が取付けリングの厚みを増やす因子とならない。そのため、中枠に取付けリングを逃げる逃げ部を設けることなく、取付けリングをこれに対向した中枠に干渉しないように配設できる。
【００１７】
本発明の好ましい形態では、前記表側端部が前記カバー部より薄いことを特徴としている。
この好ましい形態では、胴の表側端部が薄いことに応じて取付けリング全体がカバー部により近付いて配置されるので、表側端部の嵌合孔を貫通して外周に取付けリングが螺合する縁部材の軸方向の長さを短くすることができる。
【００１８】
更に、本発明の好ましい形態では、前記取付けリングに対向されている前記中枠の取付けリング側端面が、平坦面であることを特徴としている。
この好ましい形態では、中枠の取付けリング側端面が平坦面であるので、中枠の取付けリング側部位に取付けリングが収まる逃げ部を要することがなく、中枠の構造及び製造が簡単である。
【００１９】
又、本発明の好ましい形態では、前記ムーブメントの本体部の径が前記円筒部の内径以下であり、前記中枠の取付けリング側端面が前記円筒部の前記胴内に挿入された部位の先端にも対向していることを特徴としている。
この好ましい形態では、ムーブメントの本体部の径が円筒部の内径以下であるので、本体部が円筒部及び取付けリングと干渉することがない。そのため、円筒部及び取付けリングを逃げる逃げ部を本体部に要することなく、本体部の径が円筒部の内径以下であるムーブメントを備えた時計において本発明の課題を解決することができる。
【００２０】
又、本発明の好ましい形態では、前記ムーブメントの本体部が前記円筒部の内径及び前記文字板より大径であり、前記文字板の外周から食み出した前記本体部の文字板取付け面が、前記中枠の取付けリング側端面と略同じ高さ位置に配置されて前記円筒部の前記胴内に挿入された部位の先端及び前記取付けリングに対向していることを特徴としている。
この好ましい形態では、ムーブメントの本体部の径が円筒部の内径及び文字板より大径であるにも拘らず、本体部が円筒部及び取付けリングと干渉することがない。そのため、本体部に円筒部及び取付けリングを逃げる逃げ部を要することなく、本体部の径が円筒部の内径及び文字板より大径であるムーブメントを備えた時計において本発明の課題を解決することができる。
【発明の効果】
【００２１】
本発明によれば、ガラスを支持して胴に固定された縁部材の幅が狭い時計を提供できる。
【図面の簡単な説明】
【００２２】
【図１】本発明の第１実施形態に係る腕時計を示す正面図である。
【図２】図１の腕時計の一部を拡大して示す断面図である。
【図３】図１の腕時計が備える取付けリングを示す斜視図である。
【図４】（Ａ）（Ｂ）は図１の腕時計と従来の腕時計との寸法を対比するための比較図である。
【図５】本発明の第２実施形態に係る腕時計を示す正面図である。
【発明を実施するための形態】
【００２３】
以下、本発明の第１実施形態について、図１〜図４を参照して詳細に説明する。
図１中符号１１は、時計例えば携帯時計具体的には腕時計を示している。この腕時計１１は時計本体１２に腕装着用の部材例えばバンド１３を取付けて形成されている。図２に示すように時計本体１２は、竜頭１４（図１参照）が取付けられたケース１５に、中枠１６とともに、この中枠１６の内側に支持されたムーブメント１７を収容して形成されている。
【００２４】
中枠１６は、金属製でリング形に形成されている。なお、図２には中枠１６の一部の断面のみが示されている。この中枠１６は周方向に切れ目なく連続する平坦面からなる取付けリング側端面１６ａを有している。取付けリング側端面１６ａは、後述の取付けリング３５に寄せてこの取付けリング３５に近接して対向する端面であり、図２では中枠１６の上端面である。
【００２５】
中枠１６はその内周に支持部１６ｂを一体に有している。支持部１６ｂは、中枠１６の高さ方向中間部の例えば取付けリング側端面１６ａに寄った位置から中枠１６の内側に突出された内向きの凸部からなるとともに、中枠１６の周方向に切れ目なく連続して設けられている。
【００２６】
ムーブメント１７は、小型電池やぜんまいを動力にしたもの、又は自動巻きのもの、若しくはクォーツ発振モジュールにより時刻等をデジタル表示するデジタル時計対応のもの、或いはデジタル時計対応のものとそれ以外のものとを併用したもの等のいずれであってもよい。このムーブメント１７の具体的構成は本発明とは関係がなく、図２の理解を容易にするために、この図２では、ムーブメント１７がブロックとして描かれているとともにハッチングを付して描かれている。
【００２７】
ムーブメント１７は本体部１８に文字板１９を取付けて形成されている。本体部１８の径は文字板１９の径より小さい。この本体部１８は、文字板１９の裏面に連続する凸部１８ａを有している。凸部１８ａは、本体部１８の周方向に切れ目なく連続して設けられていて、本体部１８の最大径を規定している。ムーブメント１７は、その凸部１８ａを中枠１６の支持部１６ｂに図２中上方（後述するガラス側）から引掛けることで、中枠１６の内側に支持されている。
【００２８】
ケース１５は、胴２１の厚み方向一端部に縁部材２５を介してガラス３２を取付けるとともに、胴２１の厚み方向他端部に裏蓋４１を取付けて形成されている。金属等からなる裏蓋４１は、胴２１の裏側端部に形成された雌ねじ部にねじ込まれている。図２中符号４２は胴２１と裏蓋４１との間に挟み込まれた環状のシールパッキンを示している。
【００２９】
胴２１は金属製であるが合成樹脂製とすることも可能である。例えばステンレス鋼やチタン等からなる胴２１は表側端部２２を有している。この表側端部２２は、例えば胴２１の内側に向けて突出されていて例えば円形の嵌合孔２３を形成している。表側端部２２の厚みは、図４（Ａ）に示す後述のカバー部２７の厚みＴより薄く、特に縁部材２５を固定する上で必要な強度を保証できる範囲で可能な限り薄いことが好ましく、例えば文字板１９の板厚と略同じである。
【００３０】
表側端部２２の表面は縁受け面２２ａをなしている。この縁受け面２２ａは、例えば嵌合孔２３の表側開口端から周囲に張り出すように嵌合孔２３に連続した平面で形成されている。表側端部２２の裏面は係合面２２ｂをなしている。この係合面２２ｂは、例えば嵌合孔２３の裏側開口端から周囲に張り出すように嵌合孔２３に連続した平面で形成されていて、縁受け面２２ａと平行である。
【００３１】
縁部材２５は、例えばガラス３２を保持するガラス縁として使用されるものであって、ステンレス鋼やチタン等の金属又は合成樹脂の一体品であって環状に形成されている。図２に示すように縁部材２５は、円筒部２６と、カバー部２７と、雄ねじ部２８と、受け部２９を有している。円筒部２６と、カバー部２７と、雄ねじ部２８と、受け部２９は、いずれも縁部材２５の周方向に切れ目なく連続しているが、図２ではその一部のみが図示されている。
【００３２】
円筒部２６は、嵌合孔２３に貫通される部位であり、その中心軸線（図示しない）が延びる方向の長さＬは、胴２１の表側端部２２の厚みより長い。この円筒部２６の内周面は、文字板１９が視認される領域を規定する見切り面となっている。
【００３３】
カバー部２７は表側端部２２の縁受け面２２ａに重ねられる部位である。カバー部２７は、図２において円筒部２６の上部、つまり、円筒部２６の胴外に配置された部位２６ａの外周に、そこから一体に張り出して設けられている。このカバー部２７の先端と円筒部２６の内周面とによって、縁部材２５の幅Ｗが規定されている。
【００３４】
カバー部２７の裏面に形成された環状の保持溝に、樹脂系の弾性材料で作られた環状のシールパッキン３０が嵌合されている。自由状態でのシールパッキン３０の厚みは保持溝の深さより大きい。
【００３５】
雄ねじ部２８は、図２において円筒部２６の下部、つまり、円筒部２６の胴内に挿入して配置された部位２６ｂの外周に形成されている。
【００３６】
受け部２９は円筒部２６に設けられている。具体的には、円筒部２６の部位２６ｂの先端部に受け部２９が設けられている。この受け部２９は、部位２６ｂの先端及び円筒部２６の内側に開放された環状の溝により形成されている。
【００３７】
縁部材２５の内周側部位に設けられた環状溝３１にガラス３２の周部が嵌め込み固定されている。この固定は、接着剤を用いてもよく、或いは環状溝３１との間に弾性を有するリングを挟んでガラス３２を環状溝３１に圧入することで行ってもよい。胴２１の厚み方向一端部を閉じたガラス３２を通して文字板１９を視認することが可能である。
【００３８】
このようにガラス３２が装着された縁部材２５は、取付けリング３５を用いて胴２１に着脱可能に固定されている。取付けリング３５は、金属製であって、図３に示すように内周面全体に雌ねじ部３６を設けるともに、複数の操作部例えば操作溝３７を設けて形成されている。各操作溝３７は取付けリング３５の周方向に間隔的に設けられている。この取付けリング３５は縁部材２５の雌ねじ部２８に着脱可能に螺合される。
【００３９】
胴２１への縁部材２５の固定は裏蓋４１が外された状態で以下の手順で行われる。
まず、既にガラス３２及びシールパッキン３０が組み付けられた縁部材２５の円筒部２６を、胴２１の表側から胴２１の嵌合孔２３に貫通させる。これにより、縁部材２５のカバー部２７が胴２１の表側端部２２の縁受け面２２ａに重なるとともに、縁部材２５の円筒部２６の部位２６ｂが胴２１内に挿入される。
【００４０】
そのため、この部位２６ｂの外周と、表側端部２２の係合面２２ｂと、胴２１の表側端部２２側の内周面との間にリング収容溝３８（図２参照）が形成される。リング収容溝３８は胴２１の内部に開放している。これとともに、リング収容溝３８に円筒部２６の部位２６ｂの外周に形成された雄ねじ部２８が臨んでいる。更に、表側端部２２は、縁部材２５の軸方向に沿って互に離れているカバー部２７と受け部２９との間で、カバー部２７の裏面に接するように配設される。
【００４１】
次に、胴２１の裏面開口より胴２１内に取付けリング３５を収めて、その雌ねじ部３６を縁部材２５の雄ねじ部２８に螺合させて、取付けリング３５を締め付ける。この締め付けは、少なくとも二箇所の操作溝３７に引っ掛かる工具を用いて取付けリング３５を回転操作することでなされる。
【００４２】
それにより、取付けリング３５の略全体がリング収容溝３８に収容されるとともに、この取付けリング３５が表側端部２２の係合面２２ｂに接した時点から縁部材２５が胴２１の裏側方向に引き寄せられる。この引き寄せは、縁部材２５のカバー部２７の裏面が縁受け面２２ａに接することで終了する。これと同時に、カバー部２７と取付けリング３５とが胴２１の表側端部２２を挟むとともに、シールパッキン３０がカバー部２７と縁受け面２２ａとの間に圧縮状態に挟まれて縁部材２５が胴２１に固定される。
【００４３】
又、以上説明した取付けの手順と逆の手順で胴２１から縁部材２５を外すことができる。この場合、縁部材２５を胴２１の表側からこじって外さなくてよいので、縁部材２５及び胴２１の表側端部２２が傷付く恐れがない。そして、以上のように胴２１に対して縁部材２５が着脱可能であるので、縁部材２５及びガラス３２が損傷した場合、又はシールパッキン３０の防水・防塵性能が低下した場合、これら交換対象部品を胴２１から外して交換できる。したがって、交換対象部品とともに胴２１を廃棄する必要がなくなるので、修理依頼者にとっての交換費用を低減できる。
【００４４】
既述のように胴２１に縁部材２５が固定された後、ムーブメント１７が支持された状態の中枠１６が、胴２１にその裏側開口を通して収納されるとともに、ムーブメント１７と竜頭１４との接続が行われる。最後に、胴２１に裏蓋４１が取付けられて腕時計１１の組立て作業が完了する。
【００４５】
この組立て完了状態では、図２に示すようにムーブメント１７の文字板１９の周部が、縁部材２５の受け部２９に嵌って支持される。これとともに、中枠１６の取付けリング側端面１６ａが、取付けリング３５の操作溝３７が開放された端面（図２では下端面）、及び円筒部２６の部位２６ｂの先端面（図２では円筒部２６の下端面）に夫々近接して対向される。
【００４６】
前記構成の腕時計１１では、縁部材２５と取付けリング３５との螺合部が、縁部材２５が有した円筒部２６の胴内に挿入された部位２６ｂの外周側に設けられているので、ガラス３２支持して胴２１に固定された縁部材２５の幅Ｗを狭くできる。
【００４７】
即ち、取付けリング３５がカバー部２７の裏側で円筒部２６の外側に配設されているため、円筒部２６の幅Ｗ１は、雄ねじ部２８の厚みと、受け部２９への文字板１９の掛かり代Ｃと、雄ねじ部２８と文字板１９の周面との間の隙間Ｄの合計寸法に相当している。これにより、取付けリング３５が円筒部２６の幅Ｗ１を増やす要素にならず、円筒部２６の幅Ｗ１が狭くなる。それに応じて、ガラス３２を支持して胴２１に固定された縁部材２５の幅Ｗを狭くできる。
【００４８】
このことは本実施形態を示す図４（Ａ）と従来を示す図４（Ｂ）との比較図により明らかである。これら図４（Ａ）及び図４（Ｂ）中の各部の寸法Ｅ〜Ｋはいずれも同じであるとともに、ムーブメント９，１７の大きさ、腕時計全体の厚みも同じである。又、図４（Ｂ）中符号Ｗ０は縁部材５の幅、符号Ｗ２は縁部材５の筒状部５ａの幅を示している。これらの図の対比によれば、Ｗ１＜Ｗ２であるとともに、Ｗ＜Ｗ０であり、実際の寸法を当て嵌めて検証した結果、図４（Ｂ）で縁部材５の幅Ｗ０が２６０ｍｍ必要であったのに対して、本実施形態に係る図４（Ａ）での縁部材２５の幅Ｗは２２０ｍｍであり、縁部材２５の幅を４０ｍｍを狭めることができることが検証された。
【００４９】
更に、前記腕時計１１では、図４（Ａ）に示すように縁部材２５に対する取付けリング３５の厚みＡが、表側端部２２の係合面２２ｂに対する縁部材２５の胴内に挿入された部位２６ｂの突出長さに略等しいとともに、取付けリング３５の内周面全体に雌ねじ部３６が形成されている。これにより、取付けリング３５の厚みを最小化しつつ胴２１の表側端部２２に縁部材２５を確実に固定する上で必要な数のねじ山を取付けリング３５に確保できる。加えて、取付けリング３５を回転操作するために用いる操作部が、中枠１６に向けて開放する操作溝３７からなるので、操作溝３７が取付けリング３５の厚みを増やす因子とならない。
【００５０】
このため、取付けリング３５をこれに対向した中枠１６に干渉しないように配設できる。これとともに、中枠１６の取付けリング側端面１６ａが平坦面であるので、取付けリング３５との干渉を避けるための逃げ部を中枠１６に加工する必要がない。したがって、中枠１６の構造及び製造が簡単で、それに伴いコストダウンを図ることができる。
【００５１】
更に、縁部材２５が固定された胴２１の表側端部２２はカバー部２７より薄肉である。これとともに、取付けリング３５は円筒部２６の外周に配置されていて円筒部２６に対して胴内側先端に重なるように連続する部位を有していない構成である。このため、縁部材２５の軸方向の長さＬを短くすることができる。このことは、本実施形態に係る図４（Ａ）の構成の方が、図４（Ｂ）の構成に比較して、縁部材２５の円筒部２６の胴内ヘの挿入深さが短いことからも明らかである。
【００５２】
以上のように縁部材２５はその幅Ｗが狭いとともに長さＬも短いので、この縁部材２５はコンパクトで軽量化されている。しかも、既述のように胴２１の表側端部２２を薄肉としたことによって胴２１も軽量化されている。更に、取付けリング３５は、表側端部２２を挟むための特別な部位を有することなく内周に雌ねじ部３６が形成された単純な構成のねじリングであり、軽量化されている。
【００５３】
これらにより、腕時計１１を軽量化できるとともに、胴２１、縁部材２５、及び取付けリング３５の材料コストを低減できる。そのため、胴２１と縁部材２５のうちの少なくとも一方を金製とする場合、その腕時計の軽量化とコストダウンに大きく貢献することが可能である。
【００５４】
図５を参照して本発明の第２実施形態を説明する。第２実施形態は、以下説明する事項以外は第１実施形態と同じであるので、第１実施形態と同じ構成であるか同じ機能を奏する構成については、第１実施形態と同一符号を付してその説明を省略する。
【００５５】
第２実施形態では、中枠１６の肉厚を薄くするとともに、この薄肉化に応じてムーブメント１７の本体部１８が大径に形成されている。本体部１８の最大径は、縁部材２５が有した円筒部２６の内径より大きいとともに、文字板１９より大きい。そのため、本体部１８の周部は文字板１９より食み出していて、この食み出した周部の上面は文字板取付け面１８ｂの一部をなしている。
【００５６】
文字板取付け面１８ｂは、中枠１６の取付けリング側端面１６ａと同様に平坦面である。この文字板取付け面１８ｂは、中枠１６の取付けリング側端面１６ａと略同じ高さに配置されている。文字板取付け面１８ｂは、円筒部２６の胴内に挿入された部位２６ｂの先端面、及び図５において取付けリング３５の下面に夫々近接して対向されている。又、取付けリング側端面１６ａは図５において取付けリング３５の下面に近接して対向されている。以上説明した事項以外は、第１実施形態と同じである。
【００５７】
したがって、本体部１８の径が円筒部２６の内径及び文字板１９より大径であるムーブメント１７を備えた腕時計１１に係る第２実施形態は、第１実施形態で既に説明した理由によって、本発明の課題を解決し、ガラス３２を支持して胴２１に固定された縁部材２５の幅Ｗを狭くできる。
【００５８】
しかも、縁部材２５を既述の構成で胴２１の表側端部２２に固定したことによって、ムーブメント１７の本体部の１８径が円筒部２６の内径及び文字板１９より大径であるにも拘らず、本体部１８が円筒部２６及び取付けリング３５と干渉することがない。そのため、本体部１８に円筒部２６及び取付けリング３５を逃げる逃げ部を要することがない。したがって、本体部１８の径が円筒部２６の内径及び文字板１９より大径であるムーブメント１７がケース１５に内蔵された腕時計１１を提供することができる。
【符号の説明】
【００５９】
１１…腕時計（時計）
１２…時計本体
１５…ケース
１６…中枠
１６ａ…中枠の取付けリング側端面
１７…ムーブメント
１８…本体部
１８ｂ…文字板取付け面
１９…文字板
２１…胴
２２…胴の表側端部
２２ａ…縁受け面
２２ｂ…係合面
２３…嵌合孔
２５…縁部材
２６…円筒部
２６ａ…円筒部の胴外に位置された部位
２６ｂ…円筒部の胴内に位置された部位
２７…カバー部
２８…雄ねじ部
２９…受け部
３２…ガラス
３５…取付けリング
３６…雌ねじ部
３７…操作溝
３８…螺合筒部
Ｔ…カバー部の厚み
Ｌ…縁部材の軸方向に沿う長さ
Ｗ…縁部材の幅
【図１】
0005502705.tif 000002
【図２】
0005502705.tif 000003
【図３】
0005502705.tif 000004
【図４】
0005502705.tif 000005
【図５】
0005502705.tif 000006